(57)【要約】      （修正有）【課題】単一の形態の接合構造によりラックの装設を完成させる組立式ラックの接合構造を提供する。【解決手段】接合構造は溝付きの円柱管及び複数の管部材が組み合わされてフレームになり、ベース２０及び複数の結合用部材３０を備える。ベースの中央は通路２２を有する結合管２１であり、ベースの底部には接合用プラットホーム２３が成型され、接合用プラットホームには間隔を空けて設置される複数の結合用孔２４及び複数のストッパー２５を有し、各ストッパーと結合管２１との間には均しくスロット２６が挟装される。結合用部材３０の二側には凸部３４がそれぞれ成型され、各結合用部材の底部の係合部３３は各結合用孔２４に結合され、２つの凸部は隣接するスロット２５にそれぞれ内設され、結合用部材には貫通孔３５が開設される。【選択図】図１
0003192770.tif 000002
【実用新案登録請求の範囲】
【請求項１】
中央は内部に通路を有する結合管で、前記通路の二端には頂部開口部及び底部開口部がそれぞれ設置され、前記底部開口部の内径は前記頂部開口部の内径より大きく、前記通路は底端から頂端にかけ漸縮する構造になり、底部から外に向け接合用プラットホームが成型され、前記接合用プラットホームには複数の結合用孔が開設され、前記接合用プラットホームからは上に向け複数のストッパーが成型され、各前記結合用孔と各前記ストッパーとは間隔を空けて設置され、各前記ストッパーと前記結合管との間には均しくスロットが挟装されるベースと、
前部の表面及び前記前部の表面に対向する後部の表面を有し、且つ２つの側面を有し、底端には係合部が成型され、前記２つの側面には凸部がそれぞれ成型され、各々は前記係合部により各結合用孔に結合されると共に前記ベースに組み合わされ、前記２つの凸部は隣接する前記スロットにそれぞれ内設され、前記前部の表面と前記後部の表面との間には貫通孔が開設される複数の結合用部材を備えることを特徴とする組立式ラックの接合構造。
【請求項２】
各前記ストッパー及び前記結合管には第一溝部及び第二溝部が成型され、前記第一溝部及び前記第二溝部は前記スロットの中央に位置されることを特徴とする、請求項１に記載の組立式ラックの接合構造。
【請求項３】
前記結合用部材の前記貫通孔の下側には複数のセルフタッピングねじが更に増設されることを特徴とする、請求項１に記載の組立式ラックの接合構造。
【請求項４】
前記貫通孔の前記後部の表面には収納部が成型されることを特徴とする、請求項１に記載の組立式ラックの接合構造。
【請求項５】
前記結合用部材の前部の表面の前記貫通孔の下方にはリブが設けられることを特徴とする、請求項１に記載の組立式ラックの接合構造。
【請求項６】
前記ベースの前記第一溝部及び前記第二溝部の周縁には補強用リブが成型されることを特徴とする、請求項１に記載の組立式ラックの接合構造。
【考案の詳細な説明】
【技術分野】
【０００１】
本考案は、溝付きの円柱管及び複数の管部材が組み合わされるフレームに関する。
【背景技術】
【０００２】
よくある一般的なラック或いは書棚の大部分は一体となっているため任意で解体できず、ユーザーが自由に移動させて運搬させるのは困難であった。生活水準の向上に合わせ、家具にも美観以外に装設の便利さも要求される様にり、これに合わせて組立式のＤＩＹラックが現れた。ラックは分解可能な複数のポール、複数の棚板及び複数の異なる部位の接合部に分かれ、消費者が購入後に説明書に従いラックを組立てる。組立てが容易であり、ユーザーの需要に合わせ組合せを変化させて異なる外観形態に変化させる。分解及び装設によりユーザーに大きな利便性を与える。
【先行技術文献】
【特許文献】
【０００３】
【特許文献１】なし
【考案の概要】
【考案が解決しようとする課題】
【０００４】
しかしながら、前述した従来の技術では、すなわち、ＤＩＹ方式の組立て式ラックは、通常複数の異なる特定形状の接合構造を有し、単一の接合部は多くの場合単一の部位にしか適用できない。ユーザーは異なる接合部を適合する部位にのみ使用し、ＤＩＹラックの装設を完成させる。このような従来の組立式ラックには改良の余地がある。
【０００５】
そこで、本考案者は上記の欠点が改善可能と考え、鋭意検討を重ねた結果、合理的設計で上記の課題を効果的に改善する本考案の組立式ラックの接合構造の提案に到った。
【０００６】
本考案は、このような従来の問題に鑑みてなされたものである。上記課題解決のため、本考案は、組立式ラックの接合構造を提供することを主目的とする。
【課題を解決するための手段】
【０００７】
上述した課題を解決し、目的を達成するために、本考案に係る組立式ラックの接合構造は、中央は内部に通路を有する結合管で、前記通路の二端はそれぞれ頂部開口部及び底部開口部を設置し、前記底部開口部の内径は前記頂部開口部の内径より大きく、前記通路は底端から頂端にかけ漸縮する構造になり、底部から外に向け接合用プラットホームが成型され、前記接合用プラットホームには複数の結合用孔が開設され、前記接合用プラットホームからは上に向け複数のストッパーが成型され、各前記結合用孔と各前記ストッパーとは間隔を空けて設置され、各前記ストッパーと前記結合管との間には均しくスロットが挟装されるベースと、前部の表面及び前記前部の表面に対向する後部の表面を有し、且つ２つの側面を有し、底端には係合部が成型され、前記２つの側面には凸部がそれぞれ成型され、各々は前記係合部により各結合用孔に結合されると共に前記ベースに組み合わされ、前記２つの凸部は隣接する前記スロットにそれぞれ内設され、前記前部の表面と前記後部の表面との間には貫通孔が開設される複数の結合用部材を備えることを特徴とする。
【考案の効果】
【０００８】
本考案の組立式ラックの接合構造によれば、ベースの接合用プラットホームには複数の結合用孔が開設され、ベースは溝付きの円柱管に結合され、結合用部材は管部材に結合され、結合用部材はベースの適切な結合用孔に装設され、単一の形態の接合構造によりラックの装設を完成させる。結合用部材は異なる位置の結合用孔に装設可能であり、異なる形態のラックを形成させるという効果を有する。
【図面の簡単な説明】
【０００９】
【図１】本考案の第１実施形態による組立式ラックの接合構造を示す斜視の展開図である。
【図２】本考案の第１実施形態による組立式ラックの接合構造を示す上面図である。
【図３】本考案の第１実施形態による組立式ラックの接合構造を示す断面図である。
【図４】同上、本考案の円柱管及び管部材を組み立てる概略図である。
【図５】同上、本考案の円柱管及び管部材をフレ−ムに組み立てる一部断面図である。
【図６】同上、本考案の円柱管及び管部材をフレ−ムに組み立てる概略図である。
【図７】同上、本考案の円柱管及び管部材をフレ−ムに組み立てる概略図である。
【考案を実施するための形態】
【００１０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【第１実施形態】
【００１１】
以下、組立式ラックの接合構造を図１〜６に基づいて説明する。接合構造は溝付きの円柱管７１及び複数の管部材７２が組み合わされてフレームになる。接合構造は、ベース２０及び複数の結合用部材３０を備える。ベース２０の中央は結合管２１であり、結合管２１内部には断面が円形になる通路２２を有し、通路２２の二端には頂部開口部２２１及び底部開口部２２２がそれぞれ設置され、底部開口部２２２の内径は頂部開口部２２１の内径より大きい。通路２２は底端から頂端にかけ漸縮する錐形構造であり、ベース２０の底部からは外に向け接合用プラットホーム２３が成型され、接合用プラットホーム２３には複数の結合部２４が設けられ、結合部２４は接合用プラットホーム２３に開設される結合用孔である。接合用プラットホーム２３には上に向け複数のストッパー２５が成型され、各結合部２４と各ストッパー２５とは間隔を空けて設置される。各ストッパー２５と結合管２１との間にはスロット２６が均しく挟装され、各ストッパー及び結合管２１には第一溝部２７及び第二溝部２８が均しく成型されると共に第一溝部２７及び第二溝部２８はスロット２６の中央に位置される。第一溝部２７と第二溝部２８との間には補強用リブ２９が成型され且つ門型保護棒７７が挿設される。溝付きの円柱管７１は通路２２内に穿設されると共にランタンリング７３により位置を限定され、通路２２内に緊迫して定位される。溝付きの円柱管７０とランタンリングとの結合方式は従来の技術であり、本考案の重点ではあらず、故に再述は省く。溝付きの円柱管７１に結合されることで、地面に垂直になる結合構造を提供する。
【００１２】
また、結合用部材３０は前部の表面３１及び前部の表面３１に対向する後部の表面３２を有し、後部の表面３２は弧面であると共に２つの側面を有し、結合用部材３０の底端からは下に向け係合部３３が成型され、係合部３３は結合用部材３０の底端に凸型に成型される弾性係合構造である。２つの側面には凸部３４がそれぞれ成型され、結合用部材３０は係合部３３により結合部２４内に穿設されると共にベース２０に組み合わされ、後部の表面３２により結合管２１に当接される。２つの凸部３４は隣接するスロット２６にそれぞれ内設され、結合用部材３０の前記前部の表面３１と後部の表面３２との間には貫通孔３５が開設され、結合用部材３０の前部の表面３１の貫通孔３５の下方にはリブ３８が設けられるか成型される。貫通孔３５の後部の表面３２には収納部３６が成型され、収納部３６にはボルト７４が収納され、管部材７２はボルト７４により結合用部材に螺着される。本実施形態では、管部材７２内に先ず栓部７５が埋設され、ボルト７４は六角穴付きボルトであり、結合用部材３０の貫通孔３５の下側には複数のセルフタッピングねじ３７が設けられ、各セルフタッピングねじ３７によりレール、引き出し、バスケット等が螺着される。
【００１３】
上述は本考案の実施形態に係る主要な部材及び形態の説明である。実施形態の使用方式及び効果については、図１乃至図３及び図４、図５に示すように、本考案の実際の使用では、先ず角管或いは円管の管部材７２の二端が結合用部材３０に結合され、管部材７２の二端の開口箇所には先に栓部７５が埋設され、ボルト７４は収納部３６及び貫通孔３５を順に経て結合用部材３０に穿設される。ボルト７４の一端は収納部３６内に内設され、他端は貫通孔３５から突出されると共に管部材７２の栓部７５内に螺着される。ユーザーは管部材７２の二端を２つの結合用部材３０にそれぞれ装設させた後、２つの結合用部材３０の係合部３３を異なる２つのベース２０の内の何れか１つの結合部２４にそれぞれ挿入させ、結合用部材３０の凸部３４は隣接するスロット２６に内設される。結合用部材３０は管部材７２に結合され、地面に平行になる結合構造になり、結合用部材３０と組み合わされて溝付きの円柱管７１に結合され、本考案によりラックのフレームを装設させる。
【００１４】
ちなみに、図６及び図１乃至図３に示すように、本考案は装設が完成したフレームに物品を置くための平台となる板材７６が載置される。板材７６はユーザーの需要に基き管部材７２上或いは結合用部材３０上に設置される。このほか、本考案のベース２０のスロット２６は結合用部材３０の凸部３４に結合された後、一部は門型保護棒７７の二端を挿設させる為の隙間になり、ベース２０には第一溝部２７及び第二溝部２８が更に成型され、前記隙間を拡大させて門型保護棒７７を挿設させる。門型保護棒７７は図中では、二端が２つの隣接するベース２０にそれぞれ跨いで挿設され、板材７６上に置かれる物品の落下を防ぐ。また、各セルフタッピングねじ３７はユーザーの需要に応じ、スライド、引き出し、バスケット等をベース２０の底部に固定させ、本考案の実用性を高める。
【００１５】
さらに、本考案のベース２０には複数の結合用部材３０が設置され、各結合用部材３０は管部材７２に均しく結合される。これにより、本考案のラックはユーザーの需要に合わせて挿設され、平面方向に自由に延長され、装設して使用する際には好みに合わせて組み合わせを変化可能である（図７参照）。
【００１６】
このほかに、結合用部材３０の前部の表面３１の貫通孔３５の下方にはリブ３８が設けられるか成型される。これにより、管部材７２に当接されて結合用部材３０に結合される管部材７２が回転してラックの美観を損ねないようにする。
【００１７】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００１８】
２０       ベース
２１       結合管
２２       通路
２２１     頂部開口部
２２２     底部開口部
２３       接合用プラットホーム
２４       結合用孔
２５       ストッパー
２６       スロット
２７       第一溝部
２８       第二溝部
２９       補強用リブ
３０       結合用部材
３１       前部の表面
３２       後部の表面
３３       係合部
３４       凸部
３５       貫通孔
３６       収納部
３７       セルフタッピングねじ
３８       リブ
７１       円柱管
７２       管部材
７３       ランタンリング
７４       ボルト
７５       栓部
７６       板材
７７       門型保護棒
【図１】
0003192770.tif 000003
【図２】
0003192770.tif 000004
【図３】
0003192770.tif 000005
【図４】
0003192770.tif 000006
【図５】
0003192770.tif 000007
【図６】
0003192770.tif 000008
【図７】
0003192770.tif 000009
【手続補正書】
【提出日】平成26年7月2日(2014.7.2)
【手続補正１】
【補正対象書類名】実用新案登録請求の範囲
【補正対象項目名】全文
【補正方法】変更
【補正の内容】
【実用新案登録請求の範囲】
【請求項１】
中央は内部に通路を有する結合管で、前記通路の二端には頂部開口部及び底部開口部がそれぞれ設置され、前記底部開口部の内径は前記頂部開口部の内径より大きく、前記通路は底端から頂端にかけ漸縮する構造になり、底部から外に向け接合用プラットホームが成型され、前記接合用プラットホームには複数の結合用孔が開設され、前記接合用プラットホームからは上に向け複数のストッパーが成型され、各前記結合用孔と各前記ストッパーとは間隔を空けて設置され、各前記ストッパーと前記結合管との間には均しくスロットが挟装されるベースと、
前部の表面及び前記前部の表面に対向する後部の表面を有し、且つ２つの側面を有し、底端には係合部が成型され、前記２つの側面には凸部がそれぞれ成型され、各々は前記係合部により各結合用孔に結合されると共に前記ベースに組み合わされ、前記２つの凸部は隣接する前記スロットにそれぞれ内設され、前記前部の表面と前記後部の表面との間には貫通孔が開設される複数の結合用部材を備えることを特徴とする組立式ラックの接合構造。
【請求項２】
各前記ストッパー及び前記結合管には第一溝部及び第二溝部が成型され、前記第一溝部及び前記第二溝部は前記スロットの中央に位置されることを特徴とする、請求項１に記載の組立式ラックの接合構造。
【請求項３】
前記結合用部材の前記貫通孔の下側には複数のセルフタッピングねじが更に増設されることを特徴とする、請求項１に記載の組立式ラックの接合構造。
【請求項４】
前記貫通孔の前記後部の表面には収納部が成型されることを特徴とする、請求項１に記載の組立式ラックの接合構造。
【請求項５】
前記結合用部材の前部の表面の前記貫通孔の下方にはリブが設けられることを特徴とする、請求項１に記載の組立式ラックの接合構造。
【請求項６】
前記ベースの前記第一溝部及び前記第二溝部の周縁には補強用リブが成型されることを特徴とする、請求項２に記載の組立式ラックの接合構造。